(57)【特許請求の範囲】
【請求項１】
液体を噴射するノズルを複数含むノズル列を少なくとも１つ有する液体噴射ヘッドと、
複数の前記液体噴射ヘッドが、前記ノズル列を並べて配設して位置決めされた状態で固定されるヘッド固定部材と、を備え、
同色の液体を噴射するノズル列を有する２つの液体噴射ヘッドが第１のヘッドおよび第２のヘッドとして組を成し、各ノズル列にそれぞれ割り当てられる液体の色の配列が、各液体噴射ヘッドの並設方向において両端側のノズル列から中央側のノズル列へ向けて対称となるように、前記ヘッド固定部材に各液体噴射ヘッドの組が少なくとも２組以上固定された液体噴射ヘッドユニットであって、
前記ヘッド固定部材は、全ての前記第１のヘッドが固定される第１のヘッド取付部と、全ての前記第２のヘッドが固定される第２のヘッド取付部と、を有し、
前記第２のヘッド取付部は、当該第２のヘッド取付部に配置された前記第２のヘッドの位置を調整する調整機構の構成部材の少なくとも一部を有し、
同一組の一方の第１のヘッドは、前記ノズルが規定位置に配置されるように位置決めされた状態で前記第１のヘッド取付部に固定され、
同一組の他方の第２のヘッドは、前記第１のヘッドの所定のノズルから噴射された液体の着弾対象における着弾位置に対する、当該第２のヘッドの所定のノズルから噴射された液体の着弾対象における着弾位置に基づいて、前記調整機構により前記第１のヘッドに対する相対位置が規定された状態で前記第２のヘッド取付部に固定されたことを特徴とする液体噴射ヘッドユニット。
【請求項２】
前記調整機構は、前記第２のヘッド取付部を区画する区画壁のヘッド並設方向の一側およびヘッド並設方向に直交する方向の一方にそれぞれ付勢する付勢部材と、当該付勢部材を取り付ける付勢部材取付部と、当該付勢部材によって付勢された状態で前記第２のヘッド取付部に配置された前記第２のヘッドの前記ヘッド並設方向に直交する方向の位置を調整する第１の調整部材と、当該第２のヘッドのノズル形成面方向の傾きを調整する第２の調整部材と、を含むことを特徴とする請求項１に記載の液体噴射ヘッドユニット。
【請求項３】
各組の第１のヘッドのうちの一つは、前記第１のヘッド取付部に対して基準ヘッドとして固定され、
残りの他の第１のヘッドは、前記基準ヘッドに対して相対位置が規定された状態で前記第１のヘッド取付部に固定されたことを特徴とする請求項１又は請求項２に記載の液体噴射ヘッドユニット。
【請求項４】
前記基準ヘッドは、前記第１のヘッド取付部に対して位置決めピンにより位置決めされた状態で固定されたことを特徴とする請求項３に記載の液体噴射ヘッドユニット。
【請求項５】
液体を噴射するノズルを複数含むノズル列を少なくとも１つ有する液体噴射ヘッドと、複数の前記液体噴射ヘッドが、前記ノズル列を並べて配設して位置決めされた状態で固定されるヘッド固定部材と、を備え、同色の液体を噴射するノズル列を有する２つの液体噴射ヘッドが第１のヘッドおよび第２のヘッドとして組を成し、各ノズル列にそれぞれ割り当てられる液体の色の配列が、各液体噴射ヘッドの並設方向において両端側のノズル列から中央側のノズル列へ向けて対称となるように、前記ヘッド固定部材に各液体噴射ヘッドの組が少なくとも２組以上固定される液体噴射ヘッドユニットの製造方法であって、
所定のノズルが規定位置に配置されるように前記ヘッド固定部材の第１のヘッド取付部に対して同一組の一方の全ての第１のヘッドの取り付け位置を調整する第１の位置調整工程と、
前記第１の位置調整工程により取り付け位置が規定された状態で前記第１のヘッドを前記第１のヘッド取付部に固定する第１の固定工程と、
同一組の一方の第１のヘッドの所定のノズルから噴射された液体の着弾対象における着弾位置に対する、同一組の他方の全ての第２のヘッドの所定のノズルから噴射された液体の着弾対象における着弾位置に基づいて、前記調整機構により前記第１のヘッドに対する前記第２のヘッドの相対位置を調整する第２の位置調整工程と、
前記第２の位置調整工程により取り付け位置が規定された状態で前記第２のヘッドを前記ヘッド固定部材の第２のヘッド取付部に固定する第２の固定工程と、
を含むことを特徴とする液体噴射ヘッドユニットの製造方法。
【発明の詳細な説明】
【技術分野】
【０００１】
本発明は、インクジェット式記録装置などの液体噴射装置に用いられる液体噴射ヘッドユニット、および、その製造方法に関し、特に、複数の液体噴射ヘッドを位置精度良く取り付けることが可能な液体噴射ヘッドユニット、および、その製造方法に関するものである。
【背景技術】
【０００２】
液体噴射装置は、液体を液滴として噴射可能な液体噴射ヘッドを備え、この液体噴射ヘッドから各種の液体を噴射する装置である。この液体噴射装置の代表的なものとして、例えば、インクジェット式記録ヘッド（以下、記録ヘッドという）を備え、この記録ヘッドのノズルから液体状のインクをインク滴として噴射させて記録を行うインクジェット式記録装置（プリンター）等の画像記録装置を挙げることができる。また、近年においては、この画像記録装置に限らず、ディスプレイ製造装置などの各種の製造装置にも応用されている。
【０００３】
近年、上記プリンターには、ノズルを複数列設してなるノズル群を有する記録ヘッドをサブキャリッジなどのヘッド固定部材に複数並べて固定したものを１つのヘッドユニットとする構成を採用するものがある（例えば、特許文献１参照）。このサブキャリッジは、複数の記録ヘッドが取り付けられる部分が開口した枠体状の部材であり、このサブキャリッジに対して各記録ヘッドが位置決めされた状態でネジ留めによって固定される。
【０００４】
ここで、記録ヘッドと記録媒体とを相対的に往復移動させながら記録動作を行うように構成されたプリンターでは、記録ヘッドの各ノズル列にそれぞれ割り当てられるインクの色の配列がサブキャリッジにおける記録ヘッドの並設方向の中心から同方向において対称となる位置関係で、各記録ヘッドをサブキャリッジに取り付ける構成も提案されている。この構成では、同色のノズル列を有する２つの記録ヘッドを組として含み、この組を成す各記録ヘッドは、ヘッド並設方向の中心から同方向において対称な位置関係でサブキャリッジにそれぞれ配置される。このような構成を採用することにより、往路と復路とで記録媒体に対する各色のインクの着弾順序を揃えることできる。
記録媒体に対する各色のインクの着弾順序が往復で異なると、異なる色のドット同士が重なる部分の色合いが往復で異なってしまう。例えば、先に形成されたシアンドットと後から形成されたマゼンタドットとが重なった部分の色合いと、先に形成されたマゼンタドットと後から形成されたシアンドットとが重なった部分の色合いとが異なる。これにより記録画像等の画質に悪影響を及ぼす虞がある。これに対して、上記の構成によれば、往路と復路とで記録媒体に対する各色のインクの着弾順序が揃えられることにより、異なる色のドット同士の重なり順も往復で揃うので、記録画像等の画質の低下を抑えることが可能となる。
【先行技術文献】
【特許文献】
【０００５】
【特許文献１】特開２００８−２７３１０９号公報
【発明の概要】
【発明が解決しようとする課題】
【０００６】
ところで、記録ヘッドのノズルが例えばポンチを用いた塑性加工により形成される構成では、ノズル形成面に対するノズルの中心軸の傾きが生じることがある。このような記録ヘッドをサブキャリッジに対し、各記録ヘッドのノズル位置が規定の位置に配置されるように取り付け位置を調整して取り付けたとしても、ノズルの傾きが記録ヘッド毎に異なっていた場合には、インクの飛翔方向も記録ヘッド毎にばらついてしまう。その結果、記録紙等の記録媒体に対するインクの着弾位置にばらつきが生じ、記録画像等の画質の低下を招く虞があった。特に、上記した構成のように、サブキャリッジに対称配置された同色の組を成す記録ヘッド同士において着弾位置のばらつきが生じると、記録画像等の画質への影響が大きくなる可能性がある。
【０００７】
その一方で、各記録ヘッドのノズルから記録媒体に対してインクを実際に噴射させて、当該インクの着弾位置が設計上目標とする着弾位置に合致するように、サブキャリッジに対する記録ヘッドの取り付け位置を調整する方法も考えられる。しかしながら、このような調整方法は、ノズルの位置を基準として取り付け位置を調整する方法と比較して、調整時間をより多く要し、生産性の面で不利であるという問題があった。同様な理由から、アフターサービスなどで記録ヘッドの位置を再調整する際にも時間を要し、稼働率の低下を招いていた。
【０００８】
なお、このような問題は、インクを噴射する記録ヘッドを搭載したインクジェット式記録装置だけではなく、ヘッド固定部材に対して複数の液体噴射ヘッドを固定する構成を採用する、他の液体噴射ヘッドユニット、及びこれを備える液体噴射装置においても同様に存在する。
【０００９】
本発明は、このような事情に鑑みてなされたものであり、その目的は、複数の液体噴射ヘッドをより短時間で位置精度良く取り付けることが可能なことが可能な液体噴射ヘッドユニット、および、その製造方法を提供することにある。
【課題を解決するための手段】
【００１０】
上記目的を達成するため、本発明の液体噴射ヘッドユニットは、液体を噴射するノズルを複数含むノズル列を少なくとも１つ有する液体噴射ヘッドと、
複数の前記液体噴射ヘッドが、前記ノズル列を並べて配設して位置決めされた状態で固定されるヘッド固定部材と、を備え、
同色の液体を噴射するノズル列を有する２つの液体噴射ヘッドが第１のヘッドおよび第２のヘッドとして組を成し、各ノズル列にそれぞれ割り当てられる液体の色の配列が、各液体噴射ヘッドの並設方向において両端側のノズル列から中央側のノズル列へ向けて対称となるように、前記ヘッド固定部材に各液体噴射ヘッドの組が少なくとも２組以上固定された液体噴射ヘッドユニットであって、
前記ヘッド固定部材は、全ての前記第１のヘッドが固定される第１のヘッド取付部と、全ての前記第２のヘッドが固定される第２のヘッド取付部と、を有し、
前記第２のヘッド取付部は、当該第２のヘッド取付部に配置された前記第２のヘッドの位置を調整する調整機構の構成部材の少なくとも一部を有し、
同一組の一方の第１のヘッドは、前記ノズルが規定位置に配置されるように位置決めされた状態で前記第１のヘッド取付部に固定され、
同一組の他方の第２のヘッドは、前記第１のヘッドの所定のノズルから噴射された液体の着弾対象における着弾位置に対する、当該第２のヘッドの所定のノズルから噴射された液体の着弾対象における着弾位置に基づいて、前記調整機構により前記第１のヘッドに対する相対位置が規定された状態で前記第２のヘッド取付部に固定されたことを特徴とする。
【００１１】
本発明によれば、同色のノズル列を有して組を成す一方の第１のヘッドについては、対象ノズルが規定の位置に配置されるようにヘッド固定部材の第１のヘッド取付部に対して位置決めされた状態で固定されるのに対し、他方の第２のヘッドについては、組を成す第１のヘッドの所定のノズルから噴射された液体の着弾対象における着弾位置に対する、当該第２のヘッドの所定のノズルから噴射された液体の着弾対象における着弾位置に基づいて、調整機構により第１のヘッドに対する相対位置が規定された状態でヘッド固定部材に固定されるので、特に同色の液体を噴射するノズル列を有する同一組の液体噴射ヘッド同士の位置関係がより高い精度で確保される。即ち、実際の液体の着弾位置に基づいて同一組の液体噴射ヘッド同士の相対位置が規定されるので、ノズル形成面に対するノズルの傾き等の液体噴射ヘッド毎に固有の特性が、同一組の液体噴射ヘッド同士の位置関係に反映され、同色のノズル列を有する液体噴射ヘッドの組を有する構成において、同色液体間の着弾位置ずれを防止することができる。これにより、着弾対象に対して画像等を記録した場合において、着弾位置ずれに起因する記録画像等の画質の低下を抑制することが可能となる。
また、ノズルから噴射された液体の着弾対象上における実際の着弾位置に基づく位置調整方法は、ノズルの位置を基準とした位置調整方法と比較して、調整時間をより多く要するが、組を成す一方の第１のヘッドについては調整時間が比較的短い後者の位置調整方法が採用されるので、全ての液体噴射ヘッドについて前者の位置調整方法を採用する場合よりも調整時間を全体的に短縮することができる。その結果、生産性の低下等を抑制することが可能となる。
【００１２】
上記構成において、前記調整機構は、前記第２のヘッド取付部を区画する区画壁のヘッド並設方向の一側およびヘッド並設方向に直交する方向の一方にそれぞれ付勢する付勢部材と、当該付勢部材を取り付ける付勢部材取付部と、当該付勢部材によって付勢された状態で前記第２のヘッド取付部に配置された前記第２のヘッドの前記ヘッド並設方向に直交する方向の位置を調整する第１の調整部材と、当該第２のヘッドのノズル形成面方向の傾きを調整する第２の調整部材と、を含む構成を採用することが望ましい。
【００１３】
また、上記構成において、各組の第１のヘッドのうちの一つは、前記第１のヘッド取付部に対して基準ヘッドとして固定され、
残りの他の第１のヘッドは、前記基準ヘッドに対して相対位置が規定された状態で前記第１のヘッド取付部に固定される構成を採用することができる。
【００１４】
また、上記構成において、前記基準ヘッドは、前記第１のヘッド取付部に対して位置決めピンにより位置決めされた状態で固定される構成を採用することができる。
【００１５】
上記構成によれば、基準ヘッドの第１のヘッド取付部に対する位置調整は、位置決めピンを用いて簡単且つ迅速に完了するので、調整時間をさらに短縮化することが可能となる。
【００１６】
また、本発明の液体噴射ヘッドユニットの製造方法は、液体を噴射するノズルを複数含むノズル列を少なくとも１つ有する液体噴射ヘッドと、複数の前記液体噴射ヘッドが、前記ノズル列を並べて配設して位置決めされた状態で固定されるヘッド固定部材と、を備え、同色の液体を噴射するノズル列を有する２つの液体噴射ヘッドが第１のヘッドおよび第２のヘッドとして組を成し、各ノズル列にそれぞれ割り当てられる液体の色の配列が、各液体噴射ヘッドの並設方向において両端側のノズル列から中央側のノズル列へ向けて対称となるように、前記ヘッド固定部材に各液体噴射ヘッドの組が少なくとも２組以上固定される液体噴射ヘッドユニットの製造方法であって、
所定のノズルが規定位置に配置されるように前記ヘッド固定部材の第１のヘッド取付部に対して同一組の一方の全ての第１のヘッドの取り付け位置を調整する第１の位置調整工程と、
前記第１の位置調整工程により取り付け位置が規定された状態で前記第１のヘッドを前記第１のヘッド取付部に固定する第１の固定工程と、
同一組の一方の第１のヘッドの所定のノズルから噴射された液体の着弾対象における着弾位置に対する、同一組の他方の全ての第２のヘッドの所定のノズルから噴射された液体の着弾対象における着弾位置に基づいて、前記調整機構により前記第１のヘッドに対する前記第２のヘッドの相対位置を調整する第２の位置調整工程と、
前記第２の位置調整工程により取り付け位置が規定された状態で前記第２のヘッドを前記ヘッド固定部材の第２のヘッド取付部に固定する第２の固定工程と、
を含むことを特徴とする。
【図面の簡単な説明】
【００１７】
【図１】プリンターの内部構成の一部を示す斜視図である。
【図２】プリンターの平面図である。
【図３】キャリッジアセンブリーの平面図である。
【図４】キャリッジアセンブリーの右側面図である。
【図５】ヘッドユニットの斜視図である。
【図６】ヘッドユニットの底面側の斜視図である。
【図７】流路部材を取り外した状態のヘッドユニットの平面図である。
【図８】流路部材を取り外した状態のヘッドユニットの斜視図である。
【図９】図７におけるＡ−Ａ線断面図である。
【図１０】図７におけるＢ−Ｂ線断面図である。
【図１１】サブキャリッジの構成を説明する図である。
【図１２】記録ヘッドのノズル形成面側の斜視図である。
【図１３】第１の記録ヘッドを説明する図である。
【図１４】第２の記録ヘッドを説明する図である。
【図１５】サブキャリッジに対し第１の記録ヘッドを取り付けるための装置構成を説明する模式図である。
【図１６】第２の記録ヘッドの位置を調整するための調整機構の構成を説明する模式図である。
【図１７】キャリッジ本体に対するサブキャリッジの平面方向の傾き調整について説明する模式図である。
【図１８】θ調整について説明する模式図である。
【図１９】Ｙ方向調整について説明する模式図である。
【図２０】第２実施形態における第２の記録ヘッドの位置調整について説明する図である。
【発明を実施するための形態】
【００１８】
以下、本発明を実施するための形態を、添付図面を参照して説明する。なお、以下に述べる実施の形態では、本発明の好適な具体例として種々の限定がされているが、本発明の範囲は、以下の説明において特に本発明を限定する旨の記載がない限り、これらの態様に限られるものではない。また、以下においては、液体噴射装置として、インクジェット式記録装置（以下、プリンター）を例に挙げて説明する。
【００１９】
図１はプリンター１の内部構成の一部を示す斜視図、図２はプリンター１の平面図である。例示したプリンター１は、記録用紙、フィルム等の記録媒体（着弾対象）に向けて、液体の一種であるインクを噴射する。このプリンター１は、フレーム２の内部にキャリッジアセンブリー３（ヘッドユニット保持部材の一種）を、記録媒体の送り方向に交差する方向である主走査方向に往復移動可能に搭載している。プリンター１の背面側のフレーム２の内壁には、当該フレーム２の長手方向に沿って長尺な上下一対のガイドロッド４ａ，４ｂが互いに間隔を空けて平行に取り付けられている。キャリッジアセンブリー３は、その背面側に設けられた軸受け部７（図４参照。）等にガイドロッド４ａ，４ｂが嵌合することで、これらのガイドロッド４ａ，４ｂに対して摺動可能に支持されている。
【００２０】
フレーム２の背面側であって主走査方向の一端側（図３における右端部）には、キャリッジアセンブリー３を移動させるための駆動源としてのキャリッジモーター８が配設されている。このキャリッジモーター８の駆動軸は、フレーム２の背面側から内面側に突出しており、その先端部分には、駆動プーリー（図示せず）が接続されている。この駆動プーリーは、キャリッジモーター８の駆動により回転される。また、この駆動プーリーに対して主走査方向における反対側（図２における左端部）の位置には、遊転プーリー（図示せず）が設けられている。これらのプーリーには、タイミングベルト９が架け渡されている。このタイミングベルト９には、キャリッジアセンブリー３が接続されている。そして、キャリッジモーター８が駆動されると、駆動プーリーの回転に伴ってタイミングベルト９が回動し、キャリッジアセンブリー３がガイドロッド４ａ，４ｂに沿って主走査方向に移動する。
【００２１】
フレーム２の背面の内壁には、リニアスケール１０（エンコーダーフィルム）が、主走査方向に沿ってガイドロッド４ａ，４ｂと平行に張設されている。リニアスケール１０は、透明な樹脂製フィルムによって作製された帯状部材であり、例えば、透明なベースフィルムの表面に帯幅方向を横断する不透明なストライプが複数印刷されたものである。各ストライプは、同じ幅とされ、帯長手方向に一定ピッチで形成されている。また、キャリッジアセンブリー３の背面側には、このリニアスケール１０のストライプを光学的に読み取るためのリニアエンコーダーが設けられている（図示せず。）。リニアエンコーダーは、例えば、互いに対向配置された一対の発光素子と受光素子とによって構成され、リニアスケール１０の透明部分での受光状態とストライプ部分での受光状態の差異に応じてエンコーダーパルスを出力するようになっている。即ち、リニアエンコーダーは位置情報出力手段の一種であり、キャリッジアセンブリー３の走査位置に応じたエンコーダーパルスを、主走査方向における位置情報として出力する。これにより、プリンターの制御部（図示せず）はこのリニアエンコーダーからのエンコーダーパルスに基づいてキャリッジアセンブリー３の走査位置を認識しながら、ヘッドユニット１７による記録媒体に対する記録動作を制御することができる。そして、プリンター１は、主走査方向の一端側のホームポジションから反対側の端部（フルポジション）へ向けてキャリッジアセンブリー３が移動する往動時と、フルポジションからホームポジション側にキャリッジアセンブリー３が戻る復動時との双方向で記録紙上に文字や画像等を記録する所謂双方向記録処理が可能に構成されている。
【００２２】
図２に示すように、キャリッジアセンブリー３には、ヘッドユニット１７の各記録ヘッド１８に各色のインクを供給するためのインク供給チューブ１４と、駆動信号等の信号を供給するための信号ケーブル１５が接続されている。その他、プリンター１には、図示しないが、インクを貯留したインクカートリッジ（液体供給源）が着脱可能に取り付けられるカートリッジ装着部、記録紙を搬送する搬送部、待機状態の記録ヘッド１８のノズル形成面をキャッピングするキャッピング部等が設けられている。
【００２３】
図３はキャリッジアセンブリー３の平面（上面）図、図４はキャリッジアセンブリー３の右側面図である。なお、図３はキャリッジカバー１３を外した状態を示している。キャリッジアセンブリー３は、後述するヘッドユニット１７（本発明における液体噴射ヘッドユニットの一種。）を内部に搭載するキャリッジ本体１２と、このキャリッジ本体１２の上部開口を塞ぐキャリッジカバー１３とから成り上下に分割可能な中空箱体状の部材である。キャリッジ本体１２は、略矩形状の底板部１２ａと、当該底板部１２ａの四方の外周縁からそれぞれ上方に起立した側壁部１２ｂとから成り、これらの底板部１２ａ及び側壁部１２ｂに囲まれた空間内にヘッドユニット１７を収容する。底板部１２ａには、収容されたヘッドユニット１７の各記録ヘッド１８のノズル形成面５３を露出させるための図示しない底部開口が開設されている。そして、ヘッドユニット１７をキャリッジ本体１２内に収容した状態では、底板部１２ａの底部開口から各記録ヘッド１８のノズル形成面５３が、キャリッジ本体１２の底部よりも下方（記録動作時における記録媒体側）に突出する。
【００２４】
キャリッジ本体１２とヘッドユニット１７との間には、当該キャリッジ本体１２に収容されたヘッドユニット１７の姿勢を調整するための図示しない偏心カムが複数設けられている。そして、キャリッジ本体１２には、これらの偏心カムを回転させるための調整レバー２０が複数設けられている。これらの調整レバー２０の操作により、偏心カムが回転してその回転中心から外周面までのカム径が増減し、このカム径の増減によって、キャリッジ本体１２に収容されたヘッドユニット１７（サブキャリッジ２６）のキャリッジ本体１２に対する位置や傾きなどの姿勢を調整することができるように構成されている。
【００２５】
図５はヘッドユニット１７の斜視図であり、図６はヘッドユニット１７を下面（ノズル形成面）側から見た斜視図である。また、図７は流路部材２４が取り付けられていない状態のヘッドユニット１７の平面図（上面図）、図８は同状態のヘッドユニット１７の斜視図である。さらに、図９は図７におけるＡ−Ａ線断面図、図１０は図７におけるＢ−Ｂ線断面図である。そして、図１１は、サブキャリッジの構成を説明する図であり、（ａ）は上面図、（ｂ）は下面図である。
【００２６】
ヘッドユニット１７は、複数の記録ヘッド１８等をユニット化したものであり、これらの記録ヘッド１８が取り付けられるサブキャリッジ２６（本発明におけるヘッド固定部材の一種）と、流路部材２４と、を備えている。サブキャリッジ２６は、記録ヘッド１８が固定される枠状のベース部２６ａと、このベース部２６ａの四方の外周縁からそれぞれ上方に起立した起立壁部２６ｂと、から上面が開口した中空箱体状に形成されている。これらのベース部２６ａと四方の起立壁部２６ｂとから囲まれた空間が、記録ヘッド１８の少なくとも一部（主にサブタンク３７）を収容する収容部として機能する。本実施形態のサブキャリッジ２６は、金属、例えばアルミニウムにより作製されており、合成樹脂製のものと比べて剛性が高められている。
【００２７】
ベース部２６ａの略中央部分には、複数の記録ヘッド１８を挿通可能なヘッド挿通開口２８が開設されている。このためベース部２６ａは、額縁状の枠体となっている。このヘッド挿通開口２８は、収容部に連通した開口部である。ここで、本実施形態におけるサブキャリッジ２６には、合計６つの記録ヘッド１８が取り付けられる。そして、この記録ヘッド１８は、サブキャリッジ２６に固定する際の位置調整の仕方に応じて第１の記録ヘッド１８Ａ（第１のヘッドに相当）および第２の記録ヘッド１８Ｂ（第２のヘッドに相当）の２種類に分類されている。そして、図１１に示すように、サブキャリッジ２６においてヘッド並設方向の中央の仮想仕切り線Ｌｐから片側半分（図１１（ａ）における左半分）には、合計３つの第１のヘッド取付部３６ａが、区画壁である起立壁部２６ｂと仕切壁４９とにより区画形成されている。各第１のヘッド取付部３６ａには、３つの第１の記録ヘッド１８Ａ（すなわち、全ての第１の記録ヘッド１８Ａ（記録ヘッドＨ１〜Ｈ３））が、ベース部２６ａとの間にそれぞれスペーサー３２を介在させた状態でノズル列方向に直交する方向に横並びで取り付けられる。また、残り半分（図１１（ａ）における右半分）合計３つの第２のヘッド取付部３６ｂが、区画壁である起立壁部２６ｂと仕切壁４９とにより区画形成されている。この第２のヘッド取付部３６ｂには、３つの第２の記録ヘッド１８Ｂ（すなわち、全ての第２の記録ヘッド１８Ｂ（記録ヘッドＨ４〜Ｈ６））が、ベース部２６ａとの間にそれぞれ調整ブロック５０を介在させた状態で、ノズル列方向に直交する方向に横並びで取り付けられる。なお、各記録ヘッド１８の位置調整の仕方の詳細については後述する。
【００２８】
このベース部２６ａの下面（記録時の記録媒体に対向する側の面）において各第１のヘッド取付部３６ａに対応する箇所には、止着穴２９がそれぞれ開設されている。この止着穴２９は、後述するスペーサー固定ネジ２７の軸部が挿通される貫通穴である。本実施形態において、止着穴２９は、１つの記録ヘッド１８の取り付け位置に対し、ヘッド挿通開口２８を間に挟んでノズル列方向に対応する方向の両側に、後述するスペーサー３２のサブキャリッジ用挿通穴３２″に対応して２つずつ、合計４箇所設けられている。また、第１のヘッド取付部３６ａにおける端部のヘッド取付部（第１の記録ヘッド１８Ａの記録ヘッドＨ１が取り付けられる位置）には、止着穴２９の近傍に位置決め穴７２（図１１（ｂ）参照）がそれぞれ設けられている。この位置決め穴７２については後述する。
【００２９】
このベース部２６ａの上面（ヘッド収容部の底面）において各第２のヘッド取付部３６ｂに対応する箇所には、位置決め穴４１とバネ止着ピン４２がそれぞれ立設されている。位置決め穴４１は、第２の記録ヘッド１８Ｂをサブキャリッジ２６に対して位置決めする際に、当該第２の記録ヘッド１８Ｂの調整ブロック５０に開設された位置決め穴４８と位置が合わせられた状態で治具の位置決めピンが挿通されて、サブキャリッジ２６に対する第２の記録ヘッド１８Ｂの大まかな位置を規定するための貫通穴である。位置決め穴４１は、１つの第２の記録ヘッド１８Ｂの取り付け位置に対し、ヘッド挿通開口２８を間に挟んでノズル列方向に対応する方向（ヘッド並設方向に直交する方向）の両側に１つずつ、合計２箇所設けられている。また、バネ止着ピン４２（付勢部材取付部の一種）は、第２の記録ヘッド１８Ｂの調整ブロック５０に設けられたバネ止着ピン６０（６０ａ，６０ｂ）との間に付勢部材の一種である付勢バネ４４（４４ａ，４４ｂ）を架け渡すためのピンである。本実施形態において、バネ止着ピン４２は、１つの第２のヘッド取付部３６ｂに対し、ヘッド挿通開口２８を間に挟んでノズル列方向に対応する方向の両側に１つずつ、合計２箇所設けられている。ここで、ノズル列方向の両側のバネ止着ピン４２のうち一方（図１１（ａ）において下側）のバネ止着ピン４２を第１のバネ止着ピン４２ａとし、他方（図１１（ａ）において上側）のバネ止着ピン４２を第２のバネ止着ピン４２ｂとする。各バネ止着ピン４２ａ，４２ｂは、第２のヘッド取付部３６ｂを区画するヘッド並設方向両側の仕切壁４９のうち、ヘッド並設方向における第１のヘッド取付部３６ａとは反対側（一側）の仕切壁４９の近傍に立設されている。さらに第１のバネ止着ピン４２ａは、第２のヘッド取付部３６ｂを区画する起立壁部２６ｂのうちのノズル列方向における一方の起立壁部２６ｂの近傍（仕切壁４９と起立壁部２６ｂとで形成される隅角部）に立設されている。
【００３０】
サブキャリッジ２６の四方の起立壁部２６ｂのうちの３つには、側方に向けて耳片状のフランジ部３０が突設されている。フランジ部３０には、キャリッジ本体１２の底板部１２ａのヘッドユニット１７の取り付け位置に開設された図示しない３箇所の取り付けネジ穴に対応して、挿通穴３１がそれぞれ開設されている。そして、キャリッジ本体１２の底板部１２ａの各取り付けネジ穴に、それぞれ対応する挿通穴３１の位置を合わせた状態で、ヘッドユニット固定ネジ２２（図３参照）を、挿通穴３１を通じて取り付けネジ穴に止着することで、キャリッジ本体１２内部にヘッドユニット１７が収容・固定される。なお、上述したように、ヘッドユニット１７をキャリッジ本体１２に対して本固定する前の段階で、上記の調整レバー２０の操作により、キャリッジ本体１２に対するヘッドユニット１７の位置や傾きなどの姿勢が調整される。また、サブキャリッジ２６の四方の起立壁部２６ｂの上端面には、流路部材２４を固定するための固定ネジ穴３３が合計４箇所設けられている。
【００３１】
流路部材２４の内部には、各記録ヘッド１８のサブタンク３７（後述）の流路接続部３８にそれぞれ対応した各色のインク分配流路（図示せず）が区画形成されている。この流路部材２４の上面（サブキャリッジ２６に固定される側の面とは反対側の面）には、図５に示すように、チューブ接続部３４が設けられている。このチューブ接続部３４の内部には、各色のインクに対応した導入口３９が複数設けられている。各導入口３９は、それぞれ対応する色のインク分配流路に連通している。そして、チューブ接続部３４に上記のインク供給チューブ１４が接続されると、インク供給チューブ１４内の各色のインク供給路と、それぞれ対応する導入口３９とが液密状態で連通する。これにより、インクカートリッジ側からインク供給チューブ１４を通じて送られてきた各色のインクが、導入口３９を通じて流路部材２４内のインク分配流路にそれぞれ導入される。各インク分配流路を通過したインクは、流路接続部３８を通じて各記録ヘッド１８のサブタンク３７に流入する。流路部材２４の四隅には、サブキャリッジ２６の固定ネジ穴３３に対応する流路挿通穴（図示せず）が、それぞれ板厚方向を貫通した状態で形成されている。流路部材２４がサブキャリッジ２６に固定される際に、流路止着ネジ４５が流路挿通穴を通じて固定ネジ穴３３に止着（螺合）される。
【００３２】
図１２は、記録ヘッド１８（液体噴射ヘッドの一種）の構成を説明する斜視図である。また、図１３は、第１の記録ヘッド１８Ａの構成を説明する図であり、（ａ）は上面図、（ｂ）は側面図である。さらに、図１４は、第２の記録ヘッド１８Ｂの構成を説明する図であり、（ａ）は上面図、（ｂ）は側面図である。
【００３３】
記録ヘッド１８の本体は、ノズル５１に連通する圧力室を含むインク流路を形成する流路ユニットや、圧力室内のインクに圧力変動を生じさせる圧電振動子或いは発熱素子などの圧力発生手段（何れも図示せず）をヘッドケース５２に備えている。この記録ヘッド１８は、プリンター１の制御部側からの駆動信号を圧力発生手段に印加して圧力発生手段を駆動することにより、ノズル５１からインクを噴射して記録紙等の記録媒体に着弾させる記録動作を行うように構成されている。各記録ヘッド１８のノズル形成面５３には、インクを噴射するノズル５１が複数列設されてノズル列５６が構成され、本実施形態においては、このノズル列５６がノズル列に直交する方向に２列並べて形成されている。１つのノズル列５６は、例えば３６０ｄｐｉのピッチで開設された３６０個のノズル開口から成る。各ノズル列５６に対応するインク流路や圧力発生手段等はそれぞれ個別に設けられており、後述するように、同一記録ヘッド１８の２つのノズル列５６にそれぞれ異なるインクが割り当てられる。
【００３４】
ヘッドケース５２は、中空箱体状部材であり、その先端側には、ノズル形成面５３を露出させた状態で流路ユニットを固定している。また、ヘッドケース５２の内部に形成された収容空部内には圧力発生手段などを収容し、先端面とは反対側の基端面側（上面側）には、流路ユニット側にインクを供給するためのサブタンク３７が装着されている。また、ヘッドケース５２の上面側におけるノズル列方向の両側には、側方に向けて突出したフランジ部５２ａがそれぞれ形成されている。このフランジ部５２ａには、スペーサー３２のヘッド用挿通穴３２′（図１５参照）または調整ブロック５０の取付用挿通穴に対応して、取り付け穴５４がそれぞれ開設されている。
【００３５】
第１の記録ヘッド１８Ａのフランジ部５２ａに取り付けられるスペーサー３２は、合成樹脂から成る部材であり、１つの第１の記録ヘッド１８Ａに対して両側のフランジ部５２ａの上面（サブタンク３７側の面）にそれぞれ１つずつ、合計２つ取り付けられる。このスペーサー３２の幅方向（記録ヘッド１８に取り付けられた状態におけるノズル列に直交する方向）の中央部分には、記録ヘッド１８の取り付け穴５４に対応してヘッド用挿通穴３２′（図１５参照）が開設されている。なお、図１３では、取り付け穴５４とこのヘッド用挿通穴３２′に、フランジ部５２ａの下面側からスペーサー止着ネジ４３の軸部が挿通され、この軸部の先端にナット５７が螺合され、フランジ部５２ａにスペーサー３２が締結された状態を図示している。スペーサー３２には、さらに２つの位置決め穴がスペーサー３２の厚さ方向を貫通した状態で開設されている。このうちの１つの位置決め穴７３は、サブキャリッジ２６の位置決め穴７２に対応して設けられており、サブキャリッジ２６に対して第１の記録ヘッド１８Ａの記録ヘッドＨ１を位置決めする際に、治具の位置決めピンが挿通される貫通穴である。
【００３６】
また、スペーサー３２の幅方向の両端部には、サブキャリッジ２６のベース部２６ａに設けられた止着穴２９に対応して、サブキャリッジ用挿通穴３２″がそれぞれ開設されている。即ち、スペーサー３２には、１つのヘッド用挿通穴３２′と２つのサブキャリッジ用挿通穴３２″が各々設けられている。このスペーサー３２は、第１の記録ヘッド１８Ａがサブキャリッジ２６に取り付けられる前の段階で、それぞれの第１の記録ヘッド１８Ａの両側のフランジ部５２ａに、スペーサー止着ネジ４３によってそれぞれ締結される。後述するように、スペーサー３２は、サブキャリッジ２６に対して接着剤によって仮固定された後、スペーサー固定ネジ２７によって本固定される。サブキャリッジ２６に一旦固定された記録ヘッド１８は、スペーサー３２との間のスペーサー止着ネジ４３の締結を解除することにより、スペーサー３２及びサブキャリッジ２６から取り外すことができるようになっている。これにより、記録ヘッド１８の交換や修理等による記録ヘッド１８の着脱が容易になる。
【００３７】
第２の記録ヘッド１８Ｂの両側のフランジ部５２ａにそれぞれ取り付けられる調整ブロック５０は、スペーサー３２と同様に、合成樹脂から成る部材であり、１つの第２の記録ヘッド１８Ｂに対して両側のフランジ部５２ａの上面（サブタンク３７側の面）にそれぞれ１つずつ、合計２つ取り付けられる。ここで、第２の記録ヘッド１８Ｂの一方（図１４において右側）のフランジ部５２ａに取り付けられる調整ブロック５０を、第１調整ブロック５０ａとし、第２の記録ヘッド１８Ｂの他方（図１４において左側）のフランジ部５２ａに取り付けられる調整ブロック５０を、第２調整ブロック５０ｂとする。この調整ブロック５０ａ，５０ｂは、フランジ部５２ａの上面に対して立設される直方体状のブロック本体部５８と、このブロック本体部５８の上端部から側方（フランジ部５２ａに取り付けた状態におけるサブタンク３７側とは反対側）に向けて略直角に延出したブロックフランジ部５９と、から成る部材である。
【００３８】
第１の調整ブロック５０ａのブロックフランジ部５９の上面の略中央部には、第１のバネ止着ピン６０ａ（付勢部材取付部の一種）が立設されている。この第１のバネ止着ピン６０ａは、サブキャリッジ２６に設けられた第１のバネ止着ピン４２ａとの間に第１の付勢バネ４４ａ（図７参照）を架け渡すためのピンである。また、ブロックフランジ部５９において、この第１のバネ止着ピン６０ａから外れた位置には、位置決め穴４８がブロックフランジ部５９の厚さ方向を貫通した状態で開設されている。この位置決め穴４８は、サブキャリッジ２６の位置決め穴４１に対応して設けられており、サブキャリッジ２６に対して第２の記録ヘッド１８Ｂを位置決めする際に、治具の位置決めピンが挿通される貫通穴である。
【００３９】
さらに、ブロックフランジ部５９の上面と、当該ブロックフランジ部５９の突出端面との境界の辺縁部には、側方視においてブロックフランジ部５９の上面に対して傾斜した面取り部６１ａが形成されている。本実施形態では、ブロックフランジ部５９の上面に対する面取り部６１ａの傾斜角度は４５°となっている。この面取り部６１ａは、後述するように、サブキャリッジ２６の第２のヘッド取付部３６ｂに配置された状態の第２の記録ヘッド１８ＢのＹ方向の位置を調整する際に、Ｙ方向調整ピン６５の先端のテーパー面６７が摺動する面である。同様に、ブロックフランジ部５９の幅方向（フランジ部５２ａに取り付けた状態においてノズル列方向に直交する方向であり、ヘッド並設方向。）の一側（図１４（ａ）における上側であり、第２のヘッド取付部３６ｂに配置した状態におけるヘッド並設方向の一側の仕切壁４９と対向する側）の側面と、ブロックフランジ部５９の上面との境界の辺縁部にも側方視においてブロックフランジ部５９の上面に対して傾斜した面取り部６１ｂが形成されている。ブロックフランジ部５９の上面に対する面取り部６１ｂの傾斜角度は４５°となっている。この面取り部６１ｂは、後述するように、サブキャリッジ２６に対する第２の記録ヘッド１８Ｂの平面方向の角度を調整する際に、θ調整ピン６６のテーパー部が摺動される面である。この第１の調整ブロック５０ａは、後述する位置調整において調整ピン６５，６６による調整が行われる側の、調整側調整ブロックとも言える。
【００４０】
第２の調整ブロック５０ｂのブロックフランジ部５９の上面の隅角部（図１４（ａ）における左下）には、第２のバネ止着ピン６０ｂ（付勢部材取付部の一種）が立設されている。この第２のバネ止着ピン６０ｂは、サブキャリッジ２６に設けられた第２のバネ止着ピン４２ｂとの間に第２の付勢バネ４４ｂ（図７参照）を架け渡すためのピンである。また、ブロックフランジ部５９において、この第２のバネ止着ピン６０ｂから外れた位置には、位置決め穴４８がブロックフランジ部５９の厚さ方向を貫通した状態で開設されている。この位置決め穴４８は、サブキャリッジ２６の位置決め穴４１に対応して設けられており、サブキャリッジ２６に対して第２の記録ヘッド１８Ｂを位置決めする際に、治具の位置決めピンが挿通される貫通穴である。この第２の調整ブロック５０ｂは、後述する位置調整において第１の調整ブロック５０ａ側での調整の際の支点となる支点側調整ブロックとも言える。
【００４１】
上記各調整ブロック５０ａ，５０ｂは、第２の記録ヘッド１８Ｂがサブキャリッジ２６に取り付けられる前の段階で、図１４に示すように、ブロックフランジ部５９の突出端部を互いに反対方向に向けた姿勢で、それぞれの第２の記録ヘッド１８Ｂの両側のフランジ部５２ａに、接着又はネジ留め等により固定される。
【００４２】
上記サブタンク３７は、流路部材２４からのインクを記録ヘッド１８の圧力室側に導入する部材である。サブタンク３７は、内部の圧力変動に応じてバルブを開閉し、圧力室側へのインクの導入を制御する自己封止機能を有している。このサブタンク３７の後端面（上面）におけるノズル列方向の両端部に、上記流路部材２４側の図示しない接続流路が接続される流路接続部３８が設けられている。この流路接続部３８には図示しないリング状のパッキンが嵌め込まれており、このパッキンにより流路部材２４との液密性が確保される。また、サブタンク３７の内部には、圧力発生手段に駆動信号を供給するための図示しない駆動基板が２枚設けられている。この駆動基板は、上記の信号ケーブル１５と電気的に接続されて、当該信号ケーブル１５を通じてプリンター１の制御部から送られてくる駆動信号等を、駆動基板を介して圧力発生手段側に供給する。
【００４３】
本実施形態において、図６に示すように、サブキャリッジ２６に取り付けられる各記録ヘッド１８は、同色のインクを噴射するノズル列５６を有する第１の記録ヘッド１８Ａと第２の記録ヘッド１８Ｂの同士で組を成している。具体的には、例えば、イエローインク（Ｙ）に対応するノズル列５６およびブラックインク（Ｋ）に対応するノズル列５６をそれぞれ有する第１の記録ヘッド１８Ａの記録ヘッドＨ３と、第２の記録ヘッド１８Ｂの記録ヘッドＨ４とが組を成し、マゼンタインク（Ｍ）に対応するノズル列５６およびシアンインク（Ｃ）に対応するノズル列５６をそれぞれ有する第１の記録ヘッド１８Ａの記録ヘッドＨ２と、第２の記録ヘッド１８Ｂの記録ヘッドＨ５とが組を成している。また、ライトシアンインク（Ｌｃ）に対応するノズル列５６およびライトマゼンタインク（Ｌｍ）に対応するノズル列５６をそれぞれ有する第１の記録ヘッド１８Ａの記録ヘッドＨ１と、第２の記録ヘッド１８Ｂの記録ヘッドＨ６とが組を成している。そして、これらの記録ヘッド１８は、各ノズル列５６にそれぞれ割り当てられるインクの色の配列がヘッド並設方向（即ち、記録動作時におけるヘッドユニット１７と記録媒体Ｓとの相対移動方向）の中心から同方向において対称となるように、サブキャリッジ２６に取り付けられる。即ち、本実施形態では、ヘッド並設方向の中央から当該方向の両端側に向かって、ブラックインク、イエローインク、シアンインク、マゼンタインク、ライトマゼンタインク、ライトシアンインクの順となるように対称配列となっている。換言すると、各ノズル列５６にそれぞれ割り当てられるインクの色の配列が、サブキャリッジ２６における各記録ヘッド１８の並設方向において両端側に位置するノズル列５６から中央側に位置するノズル列５６へ向けて対称となるような位置関係となっている。このような各記録ヘッド１８の位置関係を採用することにより、往路と復路とで記録媒体に対する各色のインクの着弾順序を揃えることが可能となる。これにより、異なる色のドット同士の重なり順も往復で揃うので、記録画像等の画質の低下を抑えることが可能となる。なお、サブキャリッジ２６に対する各記録ヘッド１８のより具体的な固定方法等については後述する。
【００４４】
次に、上記のヘッドユニット１７の製造工程（組み立て工程）について説明する。
ここで、組を成す第１の記録ヘッド１８Ａと第２の記録ヘッド１８Ｂのうち、第１の記録ヘッド１８Ａについては、所定のノズル５１が規定位置に配置されるようにサブキャリッジ２６に対する固定位置の調整が行われるのに対し、第２の記録ヘッド１８Ｂについては、組を成す第１の記録ヘッド１８Ａの所定のノズル５１から噴射されたインクの記録媒体における着弾位置に対する、当該第２の記録ヘッド１８Ｂの所定のノズル５１から噴射されたインクの記録媒体における着弾位置に基づいて、サブキャリッジ２６に対する固定位置の調整が行われる。
【００４５】
まず、第１の記録ヘッド１８Ａの位置調整および固定（第１のヘッド取付工程）について説明する。
図１５は、サブキャリッジ２６に対し第１の記録ヘッド１８Ａを取り付けるための装置構成を説明する模式図である。この装置は、ＣＣＤカメラ等の撮像手段７０と、位置調整対象の第１の記録ヘッド１８Ａを保持した状態で移動させるための図示しないヘッド移動機構と、アライメント基板７１と、を備えている。なお、同図において、左右方向がノズル列方向、奥行き方向（図に垂直な方向）がノズル列に直交する方向となっている。アライメント基板７１は、線膨張係数が可及的に小さいガラスなどの透光性を有する板材から構成されている。このアライメント基板７１には、後述するように位置決めの基準となる記録ヘッド１８（以下、適宜、基準ヘッドという。）の複数（少なくとも２箇所）の特定のノズル５１（以下、適宜、基準ノズルという。）の配置位置を規定する一組の基準ノズルマークと、位置決め対象の第１の記録ヘッド１８Ａの少なくとも２箇所の特定のノズル５１（以下、適宜、対象ノズルという。）の基準ノズルに対する相対位置を規定する対象ノズルマークと、が設けられている。対象ノズルマークは、基準ノズルマークに対する相対位置が設計値（規定位置）となるように形成位置が定められている。
【００４６】
取り付け対象の第１の記録ヘッド１８Ａは、サブタンク３７をヘッド挿通開口２８から挿通させて収容部内に収容し、且つ、フランジ部５２ａの上面とサブキャリッジ２６のベース部２６ａの下面との間に、フランジ部５２ａに予め締結されたスペーサー３２を介在させた状態で、ノズル形成面５３を撮像手段７０に対向させた姿勢でセットされる。この状態で、第１の記録ヘッド１８Ａはヘッド移動機構によって保持される。
【００４７】
本実施形態における第１のヘッド取付工程は、第１の記録ヘッド１８Ａをヘッド移動機構によって保持した状態で、当該第１の記録ヘッド１８Ａをノズル列方向又はノズル列方向に直交する方向に移動させることにより、或いは、ノズル形成面方向に回転させることにより、アライメント基板７１に対する記録ヘッド１８の相対位置が、サブキャリッジ２６のベース部２６ａ上で調整されるようになっている。
【００４８】
各第１の記録ヘッド１８Ａをサブキャリッジ２６に取り付ける第１のヘッド取付工程は、所定の第１のヘッド取付部３６ａに第１の記録ヘッド１８Ａを位置決めする第１の位置調整工程と、第１の記録ヘッド１８Ａをベース部２６ａに対して接着剤によって仮固定する第１の仮固定工程と、仮固定された状態で第１の記録ヘッド１８Ａをスペーサー固定ネジ２７によってベース部２６ａに固定する第１の本固定工程（第１の固定工程）と、を含む。
【００４９】
本実施形態では、まず、サブキャリッジ２６のヘッド並設方向端部（仮想仕切り線Ｌｐから最も遠い位置。図１１における左端）の第１のヘッド取付部３６ａに、ライトシアンインクおよびライトマゼンタインクに対応するノズル列５６を有する第１の記録ヘッド１８Ａの記録ヘッドＨ１が最初に取り付けられる。この第３の記録ヘッドＨ３については、アライメント基板６３を用いた位置調整が行われることなく、図示しない治具の位置決めピンを記録ヘッドＨ１の位置決め穴７３とサブキャリッジ２６の位置決め穴７２とにそれぞれ嵌入させることで、サブキャリッジ２６に対する配置位置が規定される（第１の位置調整工程）。この状態で、スペーサー３２の上面とベース部２６ａの下面との間に、毛細管力を利用して接着剤が流し込まれ、この接着剤が固化することで仮固定される（第１の仮固定工程）。この接着剤としては、シアノアクリレートを主成分とした所謂瞬間接着剤が好適である。そして、位置決めされた状態で、スペーサー固定ネジ２７を用いてスペーサー３２とベース部２６ａとがネジ留めされて、記録ヘッドＨ１がベース部２６ａの規定位置に本固定される（第１の本固定工程）。このように、記録ヘッドＨ１の第１のヘッド取付部３６ａに対する位置調整は、位置決めピンを用いて簡単且つ迅速に完了するので、調整時間の短縮化に寄与することが可能となる。そして、本実施形態においては、この記録ヘッドＨ１が本発明における基準ヘッドに相当する。なお、サブキャリッジ２６に最初に取り付けられる第１の記録ヘッド１８Ａに対しても、アライメント基板６３を用いた位置調整を行ってもよい。
【００５０】
次に、サブキャリッジ２６に最初に取り付けられた記録ヘッドＨ１を基準ヘッドとして、当該記録ヘッドＨ１の隣の第１のヘッド取付部３６ａに、マゼンタインクおよびシアンインクに対応するノズル列５６を有する第１の記録ヘッド１８Ａの記録ヘッドＨ２が位置調整されてサブキャリッジ２６に固定される。第１の記録ヘッド１８Ａの記録ヘッドＨ２および第１の記録ヘッド１８Ａの記録ヘッドＨ３の位置調整工程では、上述したように、それぞれ個別のアライメント基板７１を用いて位置調整が行われる。このアライメント基板７１は、ノズル形成面５３と撮像手段７０との間に配置される。
【００５１】
記録ヘッドＨ２の第１の位置調整工程で用いられるアライメント基板７１には、基準ヘッドである記録ヘッドＨ１の基準ノズルに対応する基準ノズルマークと、取り付け対象ヘッドである記録ヘッドＨ２の対象ノズルに対応する対象ノズルマークと、が形成されている。撮像手段７０によって撮像された画像は、図示しないモニターに映し出される。このモニターには、取り付け対象の第１の記録ヘッド１８Ａのノズル形成面５３に、透明なアライメント基板７１が重畳して映し出される。そして、このモニターに映し出された画像に基づいて、ベース部２６ａ上で取り付け対象の記録ヘッド１８の位置調整が行われる。具体的には、まず、モニターに画像として映し出される基準ヘッド（この場合、記録ヘッドＨ１）の各基準ノズルに、それぞれ対応する基準ノズルマークが重なるように、アライメント基板７１の位置が調整される（アライメント基板キャリブレーション工程）。
【００５２】
なお、第１の位置調整工程に関し、例示したアライメント基板７１を用いずに行うことも可能である。例えば、モニターに映し出される画像に、記録ヘッド１８の基準ノズルや対象ノズルに対応したアライメント用マークを表示して、このアライメント用マークに基づいて位置調整を行うようにしても良い。この方法では、第１の記録ヘッド１８Ａの取り付け作業が行われる各ステージの移動位置に対するアライメント基板の基準マークの位置が制御装置の記憶部に記憶され、この記憶された位置に対して取り付け対象の第１の記録ヘッド１８Ａの対象ノズル位置を合わせることで位置調整が行われる。そして、基準ノズルマークを基準ノズルに対し撮像手段７０の視野内に入る程度に調整することで、基準ノズルと基準ノズルマークとの位置ズレ量が算出され、取り付け対象の第１の記録ヘッド１８Ａを位置合わせするときの位置合わせの指示値に対して、基準ノズルの位置ズレ量が補正される。
【００５３】
アライメント基板７１の位置が調整されたならば、次に、取り付け対象の記録ヘッドＨ２の各対象ノズルが、アライメント基板７１上の対応する対象ノズルマークにそれぞれ重なるように、当該記録ヘッドＨ２の位置がヘッド移動機構によって調整される。これにより、サブキャリッジ２６上において記録ヘッドＨ１に対する記録ヘッドＨ２の相対位置が規定される。そして、ヘッド移動機構による記録ヘッドＨ２に対するクランプが維持された状態で、スペーサー３２の上面とベース部２６ａの下面との間に接着剤が毛細管力によって流し込まれ、この接着剤が固化することで仮固定される（第１の仮固定工程）。そして、仮固定された状態で、スペーサー固定ネジ２７を用いてスペーサー３２とベース部２６ａとがネジ留めされて、記録ヘッドＨ２がベース部２６ａの規定位置に本固定される（第１の本固定工程）。
【００５４】
記録ヘッドＨ２がサブキャリッジ２６に固定されたならば、続いて、イエローインクおよびブラックインクに対応するノズル列５６を有する第１の記録ヘッド１８Ａの記録ヘッドＨ３が位置調整されてサブキャリッジ２６に固定される。記録ヘッドＨ３の第１の位置調整工程で用いられるアライメント基板７１には、基準ヘッドである記録ヘッドＨ１の基準ノズルに対応する基準ノズルマークと、取り付け対象ヘッドである記録ヘッドＨ３の対象ノズルに対応する対象ノズルマークと、が形成されている。そして、記録ヘッドＨ２に対する第１の位置調整工程と同様に、モニターに画像として映し出される記録ヘッドＨ１の各基準ノズルに対応する基準ノズルマークがそれぞれ重なるようにアライメント基板７１の位置が調整された後、記録ヘッドＨ３の各対象ノズルがアライメント基板７１上の対応する対象ノズルマークにそれぞれ重なるように、当該記録ヘッドＨ３の位置がヘッド移動機構によって調整される。これにより、サブキャリッジ２６上において記録ヘッドＨ１に対する記録ヘッドＨ３の相対位置が規定される。
【００５５】
この状態で、記録ヘッドＨ３のスペーサー３２の上面とベース部２６ａの下面との間に接着剤が流し込まれて記録ヘッドＨ３が仮固定される（第１の仮固定工程）。そして、仮固定された状態で、スペーサー固定ネジ２７を用いてスペーサー３２とベース部２６ａとがネジ留めされて、第５の記録ヘッドＨ５がベース部２６ａの規定位置に本固定される（第１の本固定工程）。
【００５６】
ここまでの工程で、組を成す第１の記録ヘッド１８Ａと第２の記録ヘッド１８Ｂのうち、第１の記録ヘッド１８Ａ（記録ヘッドＨ１〜Ｈ３）のサブキャリッジ２６への取り付けが完了したことになる。次に、第２の記録ヘッド１８Ｂ（記録ヘッドＨ４〜Ｈ６）を、サブキャリッジ２６の各第２のヘッド取付部３６ｂに、後述する位置決めピンを用いてそれぞれ仮配置する（取り付け方の詳細については後述する。）。この状態で、キャリッジ本体１２にサブキャリッジ２６を取り付け、キャリッジ本体１２に対するサブキャリッジ２６の平面方向（ノズル形成面方向）の傾き調整が行われる。具体的には、記録紙等の記録媒体に対してキャリッジ本体１２を主走査方向に相対移動させつつ、図１７に示すように、各第１の記録ヘッド１８Ａの所定のノズル５１（例えば、ノズル列５６の一端部に位置するノズル５１）から記録媒体に対して連続的にインクを噴射させて主走査方向に沿ってそれぞれ横罫線（Ａ〜Ｃ）を記録する。この例では、記録ヘッドＨ１によって形成された横罫線をＡ、記録ヘッドＨ２によって形成された横罫線をＢ、記録ヘッドＨ３によって形成された横罫線をＣとしている。図１７（ａ）に示すように、各横罫線Ａ〜Ｃが主走査方向に直交する副走査方向にずれている場合、図１７（ｂ）に示すように、各横罫線Ａ〜Ｃの副走査方向（Ｙ方向）の位置が互いに重なるように、上記の調整レバー２０の操作によりキャリッジ本体１２に対するサブキャリッジ２６の平面方向の位置が調整される。これにより、各第１の記録ヘッド１８Ａのノズル列５６が、主走査方向に対してそれぞれ直交する状態となる。なお、図１７では、ノズル列５６の一端部に位置するノズル５１で記録した横罫線に基づく傾き調整を例示したが、精度を高める観点から、ノズル列５６を構成する全てのノズル５１で記録した横罫線について、各第１の記録ヘッド１８Ａで重なるように傾き調整を行うことが望ましい。但し、全てのノズル５１で位置調整を行う場合、その分、調整時間が長くなってしまうので、ノズル５１を間引いて、即ち、数ノズルおきに調整を行うようにしても良い。
【００５７】
キャリッジ本体１２に対するサブキャリッジ２６の位置が調整されたならば、サブキャリッジ２６がヘッドユニット固定ネジ２２によりネジ留めされてキャリッジ本体１２に固定される。次に、サブキャリッジ２６における第２の記録ヘッド１８Ｂの位置調整および固定（第２のヘッド取付工程）が行われる。この第２のヘッド取付工程は、プリンター１に取り付けられたキャリッジ本体１２にサブキャリッジ２６を取り付けられた状態で行う方法と、サブキャリッジ２６を着弾検査専用の装置に取り付けて行う方法の二通りの方法がある。前者の方法は、プリンター１に組み付けた状態で位置調整を行うので、プリンター１の構成部品をネジ留め等により組み付ける際の応力（例えば、サブキャリッジ２６をキャリッジ本体１２にネジ留めする際の応力）が作用してサブキャリッジ２６が変形することによる各記録ヘッド１８の位置ずれを無くすことができる。特に、同一組の第１の記録ヘッド１８Ａと第２の記録ヘッドＢとの間の位置ずれを防止することができる。一方、後者の方法は、サブキャリッジ２６単位で迅速に位置調整が可能であるため、例えば、記録ヘッド１８の修理又は交換時のメンテナンス時間を短縮することができるという利点がある。ここで、後者の方法で用いられる着弾検査装置は、プリンターの構成部品のうち着弾位置ずれの検査にのみ必要な部品で構成されたものである。
以下では、前者の方法でヘッド取付工程を行う手順について説明する。
【００５８】
図１６は、サブキャリッジ２６に対し第２の記録ヘッド１８Ｂの位置調整を行う調整機構の構成を説明する模式図であり、（ａ）は側方から見た状態（一部断面）、（ｂ）は上方から見た状態を示している。第２の記録ヘッド１８Ｂについては、所定のノズル５１からインクを記録媒体に対して噴射させたときの当該インクの着弾位置を観察しながら、Ｙ方向調整ピン６５とθ調整ピン６６を用いてサブキャリッジ２６に対する第２の記録ヘッド１８Ｂの配置位置（同一組の第１の記録ヘッド１８Ａに対する相対位置）が調整される。
【００５９】
各第２の記録ヘッド１８Ｂは、キャリッジ本体１２にサブキャリッジ２６が取り付けられる前の段階で、ヘッド挿通開口２８から調整ブロック５０のブロックフランジ部５９を挿通させてサブキャリッジ２６のベース部２６ａの上面（収容部の底面）に着座させることで、第２のヘッド取付部３６ｂに配置される。この状態で、サブキャリッジ２６側の位置決め穴４１と調整ブロック５０の位置決め穴４８とに図示しない治具の位置決めピンを挿入することで、サブキャリッジ２６に対する大まかな位置が規定される。なお、後述する位置調整工程では、この位置決めピンは取り外される。
【００６０】
また、調整側調整ブロックである第１の調整ブロック５０ａのバネ止着ピン６０ａとサブキャリッジ２６側のバネ止着ピン４２ａとの間に第１の付勢バネ４４ａが架け渡されると共に、支点側調整ブロックである第２の調整ブロック５０ｂのバネ止着ピン６０ｂとサブキャリッジ２６側のバネ止着ピン４２ｂとの間に第２の付勢バネ４４ｂが架け渡される。これにより、取り付け対象の第２の記録ヘッド１８Ｂは、サブキャリッジ２６において仕切壁４９に沿った方向（Ｙ方向（ノズル列方向））の一方（図１６における右側）に付勢されると共に、仕切壁４９に直交する方向（Ｘ方向）の一側（図１６における上側）に付勢された状態となる。なお、第２のヘッド取付部３６ｂにおいて、第２の記録ヘッド１８Ｂと、サブキャリッジ２６の起立壁部２６ｂおよび仕切壁４９（即ち、第２のヘッド取付部３６ｂの区画壁）との間には、当該第２の記録ヘッド１８Ｂが移動可能な間隙が確保されるようになっている。
【００６１】
上述したように、キャリッジ本体１２に対するサブキャリッジ２６の平面方向の傾き調整が行われた後、各第２の記録ヘッド１８Ｂ（Ｈ４〜Ｈ６）をサブキャリッジ２６に取り付ける工程が行われる。各第２の記録ヘッド１８Ｂをサブキャリッジ２６に取り付ける第２のヘッド取付工程は、ベース部２６ａの所定の第２のヘッド取付部３６ｂに第２の記録ヘッド１８Ｂを位置決めする第２の位置調整工程と、第２の記録ヘッド１８Ｂをベース部２６ａに対して接着剤によって仮固定する第２の仮固定工程と、仮固定された状態で第２の記録ヘッド１８Ｂをベース部２６ａに固定する第２の本固定工程（第２の固定工程）と、を含む。
【００６２】
第２の位置調整工程では、図７〜図９および図１６に示すように、各第２の記録ヘッド１８Ｂに対してＹ方向調整ピン６５（第１の調整部材の一種）とθ調整ピン６６（第２の調整部材の一種）がそれぞれセットされる。これらの調整ピン６５，６６は細長い円柱状の部材であり、その先端部分には先細りしたテーパー部６７が形成されている。本実施形態において、調整ピンの軸方向に対するテーパー部６７の側方視における傾斜角は４５°に設定されている。これらの調整ピン６５，６６は、第２の記録ヘッド１８Ｂの位置調整工程において図示しない治具によって軸方向がサブキャリッジ２６のベース部２６ａに対して垂直となる状態で保持され、第２のヘッド取付部３６ｂに配置された取り付け対象の第２の記録ヘッド１８Ｂの第１調整ブロック５０ａの面取り部６１の傾斜面に対してテーパー部６７の傾斜面が平行に接触する状態とされる。具体的には、Ｙ方向調整ピン６５のテーパー部６７が面取り部６１ａに接触すると共に、θ調整ピン６６のテーパー部６７が面取り部６１ｂに接触する状態にセットされる。なお、第１の調整ブロック５０ａのバネ止着ピン６０ａ、サブキャリッジ２６側のバネ止着ピン４２ａ、第１の付勢バネ４４ａ、第２の調整ブロック５０ｂのバネ止着ピン６０ｂ、サブキャリッジ２６側のバネ止着ピン４２ｂ、第２の付勢バネ４４ｂ、Ｙ方向調整ピン６５、およびθ調整ピン６６は、本発明における調整機構を構成する。
【００６３】
そして、各調整ピン６５，６６は、図示しないマイクロメーターの表示（送り量）に応じて、図において白抜きの矢印で示すように、サブキャリッジ２６のベース部２６ａに対して垂直方向に所望量だけ上昇または下降するように構成されている。Ｙ方向調整ピン６５を下降させると、これに従い、第１調整ブロック５０ａが、Ｙ方向調整ピン６５のテーパー部６７の傾斜面に面取り部６１ａの傾斜面を摺動させつつＹ方向の他方に押し出されるようにしてスライドする。これにより、第２の記録ヘッド１８Ｂが付勢バネ４４ａ，４４ｂの付勢力に抗しつつ全体的にＹ方向の一方から他方へ向けて移動する。逆にＹ方向調整ピン６５を上昇させるに従い、第１調整ブロック５０ａが、Ｙ方向調整ピン６５のテーパー部６７の傾斜面に面取り部６１ａの傾斜面を摺動させつつ付勢バネ４４ａ，４４ｂの付勢力によってＹ方向の他方から一方に引き寄せられるようにスライドする。これにより、第２の記録ヘッド１８Ｂが全体的にＹ方向の他方から一方へ向けて移動する。
【００６４】
また、θ調整ピン６６を下降させると、これに従い、第１調整ブロック５０ａが、Ｙ方向調整ピン６５のテーパー部６７の傾斜面に面取り部６１ｂの傾斜面を摺動させつつＸ方向の一側から他側に向けて押し出されるようにしてスライドする。ここで、第２の調整ブロック５０ｂが第２の付勢バネ４４ｂによってＹ方向に直交するＸ方向の一側に付勢されているので、この第２の調整ブロック５０ｂの少なくとも一部と仕切壁４９との接触状態が維持され、この接触部分（図１６（ｂ）においてＦで示す）を回転中心（支点）として、第２の記録ヘッド１８Ｂが付勢バネ４４ａ，４４ｂの付勢力に抗しつつノズル形成面方向に図１６（ｂ）において時計回りに回転する。逆に、θ調整ピン６６を上昇させると、第１調整ブロック５０ａが、θ調整ピン６６のテーパー部６７の傾斜面に面取り部６１ｂの傾斜面を摺動させつつＸ方向の他側から一側に第１の付勢バネ４４ａの付勢力によって引き寄せられるようにスライドする。これにより、上記接触部分Ｆを回転中心として、第２の記録ヘッド１８Ｂが付勢バネ４４ａ，４４ｂの付勢力によってノズル形成面方向に図１６（ｂ）において反時計回りに回転する。
【００６５】
図１８および図１９は、第２の位置調整工程におけるドット位置について説明する模式図であり、図１８はθ調整について説明する図、図１９はＹ方向調整について説明する図である。
第２の位置調整工程では、まず、第１の記録ヘッド１８Ａに対する第２の記録ヘッド１８Ｂのノズル形成面方向の角度の調整が行われる。このθ調整工程では、上記のように、取り付け対象の第２の記録ヘッド１８Ｂに対して位置調整が可能な状態にセットされた後、組を成す第１の記録ヘッド１８Ａの所定のノズル列５６の各ノズル５１からインクを噴射させて記録媒体に縦罫線（図１８においてＤで示す）を記録する。続いて、キャリッジ本体１２が第１の記録ヘッド１８Ａと第２の記録ヘッド１８Ｂとの間隔（設計上の間隔）に相当する距離だけ記録媒体に対して主走査方向に移動した時点で、第２の記録ヘッド１８Ｂのノズル列５６（複数のノズル列５６を有する構成では、第１の記録ヘッド１８Ａで縦罫線Ｄを記録したノズル列５６と同色のノズル列５６）の各ノズル５１からインクを噴射させて記録媒体に縦罫線（図１８においてＥで示す）を記録する。そして、図１８（ａ）に示すように、記録された縦罫線Ｅが縦罫線Ｄに対して傾斜している場合、図１８（ｂ）に示すように、両者が平行となるようにθ調整ピン６６を用いて第２の記録ヘッド１８Ｂのノズル形成面方向の角度θを調整する。例えば、縦罫線Ｄに対する縦罫線Ｅの傾斜角度を図示しない測定装置で測定し、或いは、作業者が目視で確認しつつ、傾斜角度に応じてθ調整ピン６６を上昇又は下降させて第２の記録ヘッド１８Ｂのノズル形成面方向の角度（傾き）を調整する。調整後、同様にして縦罫線Ｄと縦罫線Ｅを記録して縦罫線Ｄに対する縦罫線Ｅの傾斜状態を確認し、両者が平行になるまで同様な手順を繰り返す。このようにして、第１の記録ヘッド１８Ａのノズル列５６に対して第２の記録ヘッド１８Ｂのノズル列５６が平行となるように調整される。なお、縦罫線Ｄ，ＥのＸ方向のずれについては、ノズル５１からインクを噴射するタイミングを制御上で調整することで修正されるが、その詳細な説明については省略する。
【００６６】
第２の記録ヘッド１８Ｂのノズル形成面方向の角度θの調整が完了したならば、続いて、第２の記録ヘッド１８ＢのＹ方向の位置調整が行われる。Ｙ方向位置調整工程では、まず、図１９に示すように、組を成す第１の記録ヘッド１８Ａの所定のノズル５１（例えば、何れかのノズル列５６の一端部に位置するノズル５１）からインクを噴射させて記録媒体の所定の位置にドットＤａ（基準ドット）を記録する。続いて、キャリッジ本体１２が第１の記録ヘッド１８Ａと第２の記録ヘッド１８Ｂとの間隔に対応する距離だけ記録媒体に対して主走査方向に移動した時点で、第２の記録ヘッド１８Ｂの所定のノズル５１（第１の記録ヘッド１８ＡでドットＤａを記録したノズル５１に対応するノズル５１）からインクを噴射させて記録媒体にドットＤｂを記録する。そして、図１９（ａ）に示すように、記録されたドットＤｂがドットＤａに対してＹ方向にずれている場合、図１９（ｂ）に示すように、両者のＹ方向の位置が一致する状態となるようにＹ方向調整ピン６５を用いて第２の記録ヘッド１８ＢのＹ方向の位置を調整する。例えば、ドットＤａに対するドットＤｂのＹ方向の位置ずれ量を図示しない測定装置で測定し、或いは作業者が目視で確認しつつ、ずれ量に応じてＹ方向調整ピン６５を上昇又は下降させて第２の記録ヘッド１８ＢのＹ方向の位置を調整する。調整後、同様にしてドットＤａとドットＤｂを記録してドットＤａに対するドットＤｂのＹ方向の位置ずれ状態を確認し、両者のＹ方向の位置が一致するまで同様な手順を繰り返す。このようにして、第１の記録ヘッド１８Ａに対する第２の記録ヘッド１８ＢのＹ方向（即ち、主走査方向に直交する副走査方向）の位置が一致するように調整される。
【００６７】
このような第２の位置調整工程が、各第２の記録ヘッド１８Ｂ（Ｈ４〜Ｈ６）に対して順次行われる。本実施形態においては、まず、イエローインクおよびブラックインクに対応するノズル列５６を有する第２の記録ヘッド１８Ｂの記録ヘッドＨ４に対して位置調整が行われた後、サブキャリッジ２６に固定される（第２の本固定工程）。第２の記録ヘッド１８Ｂのサブキャリッジ２６への固定方法は、接着剤による仮固定（第２の仮固定工程）と固定ネジ等の締結部材による本固定（第２の本固定工程）とを経る。即ち、第１の記録ヘッド１８Ａと同様に、両側の調整ブロック５０ａ，５０ｂの下面とベース部２６ａの上面との間に接着剤が毛細管力によって流し込まれ、この接着剤が固化することで仮固定された後、図示しない固定ネジ等の締結部材を用いて各調整ブロック５０ａ，５０ｂとベース部２６ａとがネジ留めされて、第２の記録ヘッド１８Ｂがサブキャリッジ２６の第２のヘッド取付部３６ｂにおける規定位置に本固定される。
【００６８】
このようにして記録ヘッドＨ４が固定された後、続いて、マゼンタインク（Ｍ）に対応するノズル列５６およびシアンインク（Ｃ）に対応するノズル列５６を有する第２の記録ヘッド１８Ｂの記録ヘッドＨ５について、組を成す第１の記録ヘッド１８Ａの記録ヘッドＨ２に対する相対位置が調整された後、サブキャリッジ２６に固定される。最後に、ライトシアンインクに対応するノズル列５６およびライトマゼンタインクに対応するノズル列５６を有する第２の記録ヘッド１８Ｂの記録ヘッドＨ６について、組を成す第１の記録ヘッド１８Ａの記録ヘッドＨ１に対する相対位置が調整された後、サブキャリッジ２６に固定される。
【００６９】
このような手順でサブキャリッジ２６に対して各記録ヘッド１８のヘッド取付工程を順次行うことにより、各記録ヘッド１８が高精度に位置決めされた状態で固定される。上述したように、記録ヘッド１８の位置調整に関し、同色のインクを噴射するノズル列５６を有して組を成す一方の第１の記録ヘッド１８Ａについては、対象ノズルが規定の位置に配置されるようにサブキャリッジ２６の第１のヘッド取付部３６ａに対して位置決めされた状態で固定されるのに対し、他方の第２の記録ヘッド１８Ｂについては、組を成す第１の記録ヘッド１８Ａの所定のノズル５１から噴射されたインクの記録媒体における着弾位置に対する、当該第２の記録ヘッド１８Ｂの所定のノズル５１から噴射されたインクの記録媒体における着弾位置に基づいて、調整機構により第１の記録ヘッド１８Ａに対する相対位置が規定された状態でサブキャリッジ２６に固定されるので、特に同色のノズル列５６を有する同一組の記録ヘッド１８同士の位置関係がより高い精度で確保される。即ち、実際のインクの着弾位置に基づいて同一組の記録ヘッド１８同士の相対位置が規定されるので、ノズル形成面５３に対するノズル５１の傾き等の記録ヘッド毎に固有の特性が反映され、本実施形態のように、同色のノズル列５６を有する記録ヘッド１８の組を複数有する構成において、同色インク間の着弾位置ずれを防止することができる。これにより、記録媒体に対して画像等を記録した場合において、着弾位置ずれに起因する記録画像等の画質の低下を抑制することが可能となる。
また、ノズル５１から噴射されたインクの記録媒体上における実際の着弾位置に基づく位置調整方法は、ノズル５１の位置を基準とした位置調整方法と比較して、調整時間をより多く要するが、組を成す一方の第１の記録ヘッド１８Ａについては調整時間が比較的短い後者の位置調整方法が採用されるので、全ての記録ヘッド１８について前者の位置調整方法を採用する場合よりも調整時間を全体的に短縮することができる。その結果、生産性の低下等を抑制することが可能となる。
【００７０】
その後、流路部材２４がサブキャリッジ２６に固定される（流路取付工程）。上述したように、流路部材２４は、流路止着ネジ４５によってサブキャリッジ２６に対して固定される。この際、流路部材２４の接続流路４０が各記録ヘッド１８のサブタンク３７の流路接続部３８にそれぞれ挿入されて液密状態で連結される。なお、流路部材２４は、各記録ヘッド１８がサブキャリッジ２６に取り付けられる前の段階で、サブキャリッジ２６に固定されるようにしても良い。
【００７１】
なお、本発明は、上記した各実施形態に限定されるものではなく、特許請求の範囲の記載に基づいて種々の変形が可能である。
【００７２】
図２０は、第２の実施形態における第２の記録ヘッド１８Ｂに対する調整機構について説明する平面図である。上記第１の実施形態では、調整機構の構成部材の一つとして調整ピン６５，６６を例示したが、この第２の実施形態では、上記の調整ピン６５，６６に替えて調整ネジ７５，７６が採用されている。これらの調整ネジの一方のＹ方向調整ネジ７５（第１の調整部材の一種）は、第２のヘッド取付部３６ｂを区画する起立壁部２６ｂのうちのノズル列方向における一方の起立壁部２６ｂに開設されたネジ穴７７に外側から軸部を通されて、第２のヘッド取付部３６ｂに配置された第２の記録ヘッド１８Ｂの第１調整ブロック５０ａに先端を当接させた状態で取り付けられている。そして、このＹ方向調整ネジ７５を時計回りに回転させると、これに従い起立壁部２６ｂからの軸部の突出量が増加し、これにより、第２の記録ヘッド１８Ｂが付勢バネ４４ａ，４４ｂの付勢力に抗しつつ全体的にＹ方向の一方から他方へ向けて移動する。一方、Ｙ方向調整ネジ７５を反時計回りに回転させると、これに従い起立壁部２６ｂからの軸部の突出量が減少し、これに応じて、第２の記録ヘッド１８Ｂが、付勢バネ４４ａ，４４ｂの付勢力によって全体的にＹ方向の他方から一方へ向けて移動する。
【００７３】
θ調整ネジ７６（第２の調整部材の一種）は、第２のヘッド取付部３６ｂを区画する仕切壁４９のうちの一側の仕切壁４９に開設されたネジ穴７８に外側から軸部を通されて、第２のヘッド取付部３６ｂに配置された第２の記録ヘッド１８Ｂの第１調整ブロック５０ａに先端を当接させた状態で取り付けられている。そして、このθ調整ネジ７６を時計回りに回転させると、これに従い仕切壁４９からの軸部の突出量が増加し、これに応じて、第２の調整ブロック５０ｂと仕切壁４９との接触部分Ｆを回転中心として第２の記録ヘッド１８Ｂが付勢バネ４４ａ，４４ｂの付勢力に抗しつつノズル形成面方向に図２０において時計回りに回転する。一方、θ調整ネジ７６を反時計回りに回転させると、これに従い起立壁部２６ｂからの軸部の突出量が減少し、これに応じて、上記接触部分Ｆを回転中心として、第２の記録ヘッド１８Ｂが付勢バネ４４ａ，４４ｂの付勢力によってノズル形成面方向に図２０において反時計回りに回転する。
このように、調整ネジ７５，７６を用いることにより、上記調整ピン６５，６６を採用する構成と同様に、第２の記録ヘッド１８ＢのＹ方向の位置およびノズル形成面方向の傾きを調整することができる。その他の構成については上記第１の実施形態と同様であるため、説明を省略する。
【００７４】
その他、第２の記録ヘッド１８ＢのＹ方向の位置およびノズル形成面方向の傾きを調整することが可能なものであれば、各実施形態で例示した調整ピン６５，６６や調整ネジ７５，７６に限られない。例えば、シム（スペーサー）等を利用することもできる。
【００７５】
なお、ヘッド固定部材としてのサブキャリッジ２６に取り付けられる記録ヘッド１８の構成や個数に関しては、上記実施形態で例示したものには限られない。また、上記第１の実施形態では、サブキャリッジ２６において、ヘッド並設方向の中央の仮想仕切り線Ｌｐ（図１１）から片側半分の第１のヘッド取付部３６ａに、３つの第１の記録ヘッド１８Ａが取り付けられ、残り半分の第２のヘッド取付部３６ｂに、３つの第２の記録ヘッド１８Ｂが取り付けられる構成を例示したが、これには限られず、例えば、第１の記録ヘッド１８Ａと第２の記録ヘッド１８Ｂとをヘッド並設方向に交互に配置する構成においても、本発明を適用することができる。この構成では、第１の記録ヘッド１８Ａ同士の間隔が少なくとも記録ヘッド１つ分だけ空くので、これらの第１の記録ヘッド１８Ａをサブキャリッジ２６に固定した後の工程で、図１７を参照して先述したキャリッジ本体１２に対するサブキャリッジ２６の平面方向の傾き調整の精度が向上する。
【００７６】
さらに、上記各実施形態では、記録媒体に対してヘッドユニット１７を往復移動させながらインクの噴射を行う構成を例示したが、これには限られない。例えば、ヘッドユニット１７の位置を固定した状態で、当該ヘッドユニット１７に対して記録媒体を移動させながらインクの噴射を行う構成を採用することもできる。
【００７７】
そして、以上では、液体噴射装置の一種であるインクジェット式プリンター１を例に挙げて説明したが、本発明は、複数の液体噴射ヘッドをヘッド固定部材に取り付ける他の液体噴射装置にも適用することができる。例えば、液晶ディスプレイ等のカラーフィルターを製造するディスプレイ製造装置，有機ＥＬ（Electro
Luminescence）ディスプレイやＦＥＤ（面発光ディスプレイ）等の電極を形成する電極製造装置，バイオチップ（生物化学素子）を製造するチップ製造装置，ごく少量の試料溶液を正確な量供給するマイクロピペットにも適用することができる。
【符号の説明】
【００７８】
１…プリンター，３…キャリッジアセンブリー，１２…キャリッジ本体，１３…キャリッジカバー，１７…ヘッドユニット，１８…記録ヘッド，２６…サブキャリッジ，２６ａ…起立壁，３２…スペーサー，３６…ヘッド取付部，４２…バネ止着ピン，４４ａ，４４ｂ…付勢バネ，４９…仕切壁，５０ａ，５０ｂ…調整ブロック，５１…ノズル，５２…ヘッドケース，５３…ノズル形成面，５６…ノズル列，５８…ブロック本体部，５９…ブロックフランジ部，６０ａ，６０ｂ…バネ止着ピン，６１ａ，６１ｂ…面取り部，６５…Ｙ方向調整ピン，６６…θ調整ピン，６７…テーパー部，７０…撮像手段，７１…アライメント基板
【図１】
0005691466.tif 000002
【図２】
0005691466.tif 000003
【図３】
0005691466.tif 000004
【図４】
0005691466.tif 000005
【図５】
0005691466.tif 000006
【図６】
0005691466.tif 000007
【図７】
0005691466.tif 000008
【図８】
0005691466.tif 000009
【図９】
0005691466.tif 000010
【図１０】
0005691466.tif 000011
【図１１】
0005691466.tif 000012
【図１２】
0005691466.tif 000013
【図１３】
0005691466.tif 000014
【図１４】
0005691466.tif 000015
【図１５】
0005691466.tif 000016
【図１６】
0005691466.tif 000017
【図１７】
0005691466.tif 000018
【図１８】
0005691466.tif 000019
【図１９】
0005691466.tif 000020
【図２０】
0005691466.tif 000021